(57)【要約】【課題】  盤面取付部品の取り外しを容易にし、弾球遊技機のリサイクル容易性を高める。【解決手段】  盤面取付部品から突出する取付爪２２を遊技盤４の取付孔４ａに挿入し、遊技盤４の裏側に対する取付爪２２の係合により、盤面取付部品を遊技盤４に固定するパチンコ遊技機１において、取付爪２２には、遊技盤４の裏側から取付孔４ａに挿入される取外用治具２４と係合可能で、かつ、該取外用治具２４から受ける押圧力で取付爪２２を固定解除方向に変形させる取外係合部２２ｃが形成される。【選択図】        図６
2006187498.tif 000002
【特許請求の範囲】
【請求項１】
盤面取付部品から突出する取付爪を遊技盤の取付孔に挿入し、遊技盤の裏側に対する取付爪の係合により、盤面取付部品を遊技盤に固定する弾球遊技機において、
前記取付爪は、遊技盤の裏側から取付孔に挿入される取外用治具と係合可能で、かつ、該取外用治具から受ける押圧力で取付爪を固定解除方向に変形させる取外係合部を有することを特徴とする弾球遊技機。
【請求項２】
前記取付爪は、二本を一組として背中合わせ状に突出形成され、前記取外係合部は、一組の取付爪間に架け渡し状に形成されることを特徴とする請求項１記載の弾球遊技機。
【請求項３】
前記取付爪は、取付孔挿入方向に弾性変形可能な薄肉部を介して、前記盤面取付部品に一体形成されることを特徴とする請求項１又は２記載の弾球遊技機。
【発明の詳細な説明】
【技術分野】
【０００１】
本発明は、遊技盤の盤面に各種の盤面取付部品を備えるパチンコ遊技機などの弾球遊技機に関する。
【背景技術】
【０００２】
一般に、パチンコ遊技機などの弾球遊技機は、遊技盤の盤面に、センター役物、入賞口、大入賞口、始動口、風車などの盤面取付部品を備えている。遊技盤に対する盤面取付部品の固定方法としては、ネジを用いた固定方法が一般的であるが、取付作業の容易性やコストダウンを図るために、取付爪を用いた固定方法も提案されている（例えば、特許文献１参照）。
【０００３】
取付爪は、盤面取付部品と一体又は別体に形成されるものであり、適度な弾性変形が許容されるように、材質及び寸法が設定される。通常、取付爪は、二本を一組として背中合わせ状に突出形成されており、先端部には、圧入ガイドを行うテーパー部と、外方に突出する係合爪部とを備えている。
【０００４】
取付爪により盤面取付部品を取り付ける場合は、盤面取付部品から突出する取付爪を遊技盤の取付孔に圧入状に挿入する。このとき、一組の取付爪は、先端部に形成されるテーパー部のガイドにより、互に近接する方向に弾性変形する。係合爪部全体が遊技盤の裏面に突出するまで取付爪を挿入すると、一組の取付爪が弾性復元力で外方に広がる。これにより、係合爪部が遊技盤の裏側に係合し、盤面取付部品が遊技盤に固定される。
【特許文献１】特開２００１−６２０５４号公報
【発明の開示】
【発明が解決しようとする課題】
【０００５】
しかしながら、取付爪で遊技盤に固定された盤面取付部品は、取り外しが容易ではなく、弾球遊技機のリサイクルに際し、取り外し作業に手間がかかるという問題がある。これは、盤面取付部品を取り外す際、一組の取付爪を内側に倒す作業と、取付爪を表側に押し出す作業を同時に行うことが要求されるからであり、特に、一つの盤面取付部材に対して複数の爪固定箇所がある場合、取り外し時における作業性の低下が顕著になる。
【課題を解決するための手段】
【０００６】
本発明は、上記の如き実情に鑑みこれらの課題を解決することを目的として創作されたものであって、盤面取付部品から突出する取付爪を遊技盤の取付孔に挿入し、遊技盤の裏側に対する取付爪の係合により、盤面取付部品を遊技盤に固定する弾球遊技機において、前記取付爪は、遊技盤の裏側から取付孔に挿入される取外用治具と係合可能で、かつ、該取外用治具から受ける押圧力で取付爪を固定解除方向に変形させる取外係合部を有することを特徴とする。このように構成すれば、遊技盤の裏側から取付孔に取外用治具を挿入し、取付爪の取外係合部を押すだけで、取付爪の係合解除作業及び押出作業を同時に行うことが可能になる。これにより、盤面取付部品の取り外しを容易にし、弾球遊技機のリサイクル容易性を高めることができる。また、複数の取外用治具を使用すれば、複数の取付爪を同時に外すことができるので、一つの盤面取付部品に対して複数の爪固定箇所がある場合でも容易に取り外しができ、更には、複数の盤面取付部品を同時に取り外すこともできる。
また、前記取付爪は、二本を一組として背中合わせ状に突出形成され、前記取外係合部は、一組の取付爪間に架け渡し状に形成されることを特徴とする。このように構成すれば、取外用治具との係合性を高めることができるだけでなく、取外用治具の押圧力で一組の取付爪を確実に内側に倒し、取付爪の固定を解除できる。
また、前記取付爪は、取付孔挿入方向に弾性変形可能な薄肉部を介して、前記盤面取付部品に一体形成されることを特徴とする。このように構成すれば、薄肉部の弾性復元力を利用して、取付爪の固定保持力を高めることができるだけでなく、盤面取付部品のガタを防止できる。
【発明の効果】
【０００７】
上記のような本発明によれば、盤面取付部品を取付爪で遊技盤に固定するものでありながら、取付爪には、遊技盤の裏側から取付孔に挿入される取外用治具と係合可能で、かつ、該取外用治具から受ける力で取付爪を固定解除方向に変形させる取外係合部が形成されているので、遊技盤の裏側から取付孔に取外用治具を挿入し、取付爪の取外係合部を押すだけで、取付爪の係合解除作業及び押出作業を同時に行うことが可能になる。これにより、盤面取付部品の取り外しを容易にし、弾球遊技機のリサイクル容易性を高めることができる。また、複数の取外用治具を使用すれば、複数の取付爪を同時に外すことができるので、一つの盤面取付部品に対して複数の爪固定箇所がある場合でも容易に取り外しができ、更には、複数の盤面取付部品を同時に取り外すこともできる。
【発明を実施するための最良の形態】
【０００８】
次に、本発明の実施形態について、図面に基づいて説明する。図１及び図２において、１はパチンコ遊技機（弾球遊技機）であって、該パチンコ遊技機１は、パチンコ島に固定される外枠２に対して、開閉自在に取り付けられている。パチンコ遊技機１の側方隣接位置には、台間玉貸し機３が並設され、この台間玉貸し機３に、現金又はプリペイドカードを投入することにより、台間玉貸し機３又はパチンコ遊技機１から遊技球が貸し出され、パチンコ遊技が可能になる。
【０００９】
パチンコ遊技機１の正面は、遊技球が発射される遊技盤４と、その前方を覆う開閉自在なガラス枠５と、遊技球を溜める上皿６と、上皿６の余剰球を溜める下皿７と、遊技球の発射操作を行う発射ハンドル８と、遊技球の貸出操作を行う貸出操作部９と、効果音を出力するスピーカ１０とを備えており、また、パチンコ遊技機１の背面は、払出用の遊技球を溜める遊技球タンク１１と、遊技球タンク１１内の遊技球を上皿６に払い出す賞球払出装置１２と、遊技球を発射する発射モータ１３と、各種の制御基板とを備えている。
【００１０】
図３に示すように、遊技盤４は、盤面に、遊技釘１４、発射レール１５、センター役物１６、大入賞口１７、入賞口１８、始動口１９、アウト口２０、風車２１などの盤面取付部品を備えて構成されており、これらの盤面取付部品のうち、遊技釘１４と発射レール１５を除く盤面取付部品は、取付爪２２により遊技盤４に取り付けることができる。以下、本発明の特徴である取付爪２２の実施形態について説明する。
【００１１】
取付爪２２は、図４の（Ａ）に示すように、盤面取付部品と一体形成してもよいし、図４の（Ｂ）に示すように、盤面取付部品と別体に形成してもよい。また、取付爪２２の材質としては、通常、プラスチックが選択されるが、適度な弾性変形が許容されれば、任意の素材を用いることができる。通常、取付爪２２は、二本を一組として背中合わせ状に突出形成されており、先端部には、圧入ガイドを行うテーパー部２２ａと、外方に突出する係合爪部２２ｂとを備えている。
【００１２】
取付爪２２により盤面取付部品を取り付ける場合は、盤面取付部品から突出する取付爪２２を遊技盤４の取付孔４ａに圧入状に挿入する。このとき、一組の取付爪２２は、先端部に形成されるテーパー部２２ａのガイドにより、互に近接する方向に弾性変形する。係合爪部２２ｂ全体が遊技盤の裏面に突出するまで取付爪２２を挿入すると、一組の取付爪２２が弾性復元力で外方に広がる。これにより、係合爪部２２ｂが遊技盤４の裏側に係合し、盤面取付部品が遊技盤４に固定される。
【００１３】
取付爪２２は、図４の（Ｃ）に示すように、取付孔挿入方向に弾性変形可能な薄肉部２３を介して、盤面取付部品に一体形成することができる。このような薄肉部２３は、例えば、取付爪２２の突出基部に、０．２〜０．３ｍｍ程度の窪みを形成することにより確保できる。このようにすると、薄肉部２３の弾性復元力を利用して、取付爪２２の固定保持力を高めることができるだけでなく、盤面取付部品のガタを防止できる。特に、盤面取付部品の取付面から係合爪部２２ｂまでの寸法Ａを、遊技盤４の板厚Ｂに対してマイナス寸法にすると、薄肉部２３の効果を最大限に引き出すことができる。
【００１４】
図５の（Ａ）に示すように、中型、大型の盤面取付部材は、複数の取付爪２２を介して盤面に固定される。例えば、図５の（Ｂ）に示す盤面取付部品は、４箇所に取付爪２２を有し、図５の（Ｃ）に示す盤面取付部品は、２箇所に取付爪２２を有する。このように一つの盤面取付部品に複数の取付爪２２を形成する場合、各取付爪２２の向き（係合爪部２２ｂの向き）は、図５の（Ｂ）及び（Ｃ）に示すように一致させず、適度に分散させることが好ましい。このようにすると、取付爪２２の倒れによる盤面取付部品のガタを防止することができる。
【００１５】
次に、取付爪２２の取外構造及び取外方法について説明する。図４及び図６に示すように、取付爪２２には、遊技盤４の裏側から取付孔４ａに挿入される取外用治具２４と係合可能で、かつ、該取外用治具２４から受ける押圧力で取付爪２２を固定解除方向に変形させる取外係合部２２ｃが形成されている。このような取外係合部２２ｃを形成すると、遊技盤４の裏側から取付孔４ａに取外用治具２４を挿入し、取付爪２２の取外係合部２２ｃを押すだけで、取付爪２２の係合解除作業及び押出作業を同時に行うことが可能になる。これにより、盤面取付部品の取り外しを容易にし、パチンコ遊技機のリサイクル容易性を高めることができる。
【００１６】
取外係合部２２ｃは、一組の取付爪２２間に架け渡し状に形成することが好ましい。このようにすると、取外用治具２４との係合性を高めることができるだけでなく、取外用治具２４の押圧力で一組の取付爪２２を確実に内側に引き寄せ、取付爪２２の固定を解除できる。また、取外係合部２２ｃは、一組の取付爪２２間を直線的に繋ぐものでも良いが、図４及び図６に示すように、逆Ｕ字状や逆Ｖ字状に湾曲させることが好ましい。このようにすると、取外用治具２４で取外係合部２２ｃを押圧したとき、取付爪２２の引き寄せが容易になる。
【００１７】
取外用治具２４は、取付孔４ａに挿入可能で、かつ、取外時における取付爪２２間の幅よりも幅狭であれば、形状に制限はないが、図６の（Ｂ）に示すように、取外係合部２２ｃと係合する凹部２４ａを備えることが好ましい。このようにすると、取外係合部２２ｃに対する取外用治具２４の係合が確実になり、盤面取付部品の取外作業が容易になる。また、取外用治具２４は、図７に示すように、治具台２５に複数配置して使用することができる。つまり、遊技盤４における全ての取付爪固定箇所（位置及び向き）に対応して、治具台２５に複数の取外用治具２４を立設しておけば、治具台２５上に遊技盤４を重合状にセットするだけで、全ての取付爪２２の係合を同時に解除し、複数の盤面取付部品を同時に取り外すことが可能になる。しかも、本実施形態の治具台２５は、遊技盤４の対角に形成される基準孔４ｂと嵌合する複数のガイドピン２６を備えるので、遊技盤４を精度良く位置決めできる。
【００１８】
叙述の如く構成された本実施形態のパチンコ遊技機１は、盤面取付部品から突出する取付爪２２を遊技盤４の取付孔４ａに挿入し、遊技盤４の裏側に対する取付爪２２の係合により、盤面取付部品を遊技盤４に固定するにあたり、取付爪には、遊技盤４の裏側から取付孔４ａに挿入される取外用治具２４と係合可能で、かつ、該取外用治具２４から受ける押圧力で取付爪２２を固定解除方向に変形させる取外係合部２２ｃが形成されているので、遊技盤４の裏側から取付孔４ａに取外用治具２４を挿入し、取付爪２２の取外係合部２２ｃを押すだけで、取付爪２２の係合解除作業及び押出作業を同時に行うことが可能になる。これにより、盤面取付部品の取り外しを容易にし、パチンコ遊技機１のリサイクル容易性を高めることができる。
【００１９】
また、複数の取外用治具２４を使用すれば、複数の取付爪２２を同時に外すことができるので、一つの盤面取付部品に対して複数の爪固定箇所がある場合でも容易に取り外しができ、更には、複数の盤面取付部品を同時に取り外すこともできる。
【００２０】
また、取付爪２２は、二本を一組として背中合わせ状に突出形成され、取外係合部２２ｃは、一組の取付爪２２間に架け渡し状に形成されるので、取外用治具２４との係合性を高めることができるだけでなく、取外用治具２４の押圧力で一組の取付爪２２を確実に内側に倒し、取付爪２２の固定を解除できる。
【００２１】
また、取付爪２２は、取付孔挿入方向に弾性変形可能な薄肉部２３を介して、盤面取付部品に一体形成されるので、薄肉部２３の弾性復元力を利用して、取付爪２２の固定保持力を高めることができるだけでなく、盤面取付部品のガタを防止できる。
【図面の簡単な説明】
【００２２】
【図１】パチンコ遊技機の正面図である。
【図２】パチンコ遊技機の背面図である。
【図３】遊技盤の正面図である。
【図４】（Ａ）〜（Ｃ）は取付爪の断面図である。
【図５】（Ａ）〜（Ｃ）は盤面取付部品における取付爪位置を示す説明図である。
【図６】（Ａ）は取付爪の斜視図、（Ｂ）は取外用治具の斜視図、（Ｃ）は取外時の作用説明図である。
【図７】治具台及び遊技盤の斜視図である。
【符号の説明】
【００２３】
１      パチンコ遊技機
４      遊技盤
４ａ    取付孔
４ｂ    基準孔
１６    センター役物
１７    大入賞口
１８    入賞口
１９    始動口
２２    取付爪
２２ａ  テーパー部
２２ｂ  係合爪部
２２ｃ  取外係合部
２３    薄肉部
２４    取外用治具
２４ａ  凹部
２５    治具台
２６    ガイドピン
【図１】
2006187498.tif 000003
【図２】
2006187498.tif 000004
【図３】
2006187498.tif 000005
【図４】
2006187498.tif 000006
【図５】
2006187498.tif 000007
【図６】
2006187498.tif 000008
【図７】
2006187498.tif 000009